(57)【特許請求の範囲】
【請求項１】
吸収体と、少なくとも一部が液透過性材料からなり、前記吸収体の表面を被覆するように配置されたトップシートと、液不透過性材料からなり、前記吸収体の裏面を被覆するように配置されたバックシートと、撥水性シートからなり、前記吸収体の両側に配置された少なくとも一対の立体ギャザーと、を備え、
前記撥水性シートと前記トップシートとを接着する接着部を有し、
前記立体ギャザーの起立線となる固定端を構成する前記接着部が、吸収性物品の前後方向全般に亘って、着色された接着剤により連続的に形成された着色接着部（但し、前記撥水性シートの前記着色接着部が配置された箇所に複数の凹部が設けられ、該凹部が凹部以外の部分とは異なる色に見えるものを除く）であり、前記着色接着部により、前記立体ギャザーの起立線となる前記固定端が視認可能に構成されている吸収性物品。
【請求項２】
前記着色接着部が、視認可能な色に着色された接着剤により形成され、前記視認可能な色が、前記トップシート及び前記撥水性シートの色と異なる色である請求項１に記載の吸収性物品。
【請求項３】
前記着色接着部が、少なくとも前記トップシートの前記吸収体の表面を被覆している領域に形成されている請求項１又は２に記載の吸収性物品。
【発明の詳細な説明】
【技術分野】
【０００１】
本発明は使い捨ておむつ（例えば、テープ型おむつ、パンツ型おむつ）や、尿パッド等の吸収性物品に関する。更に詳しくは、立体ギャザーを有し、その固定端（起立線の部分）の視認性を高めた吸収性物品に関する。
【背景技術】
【０００２】
吸収性物品は、吸収体と、少なくとも一部が液透過性材料からなり、吸収体の表面を被覆するように配置されたトップシートと、液不透過性材料からなり、吸収体の裏面を被覆するように配置されたバックシートと、を備えている。このような吸収性物品は、通常、着用者の排泄した尿の横漏れを防止するための部材であり、立体的に起立可能なように構成された防漏壁である立体ギャザーが形成されている。
【０００３】
立体ギャザーの視認性を向上させることを目的とした吸収性物品が種々開示されている。例えば、立体ギャザーの糸ゴムに色をつけた吸収性物品が開示されている（例えば、特許文献１参照）。また、立体ギャザーに目印を付した吸収性物品が開示されている（例えば、特許文献２参照）。更に、立体ギャザー自体を有色とした吸収性物品が開示されている（例えば、特許文献３参照）。また、バックシートに色をつけた吸収性物品が開示されている（例えば、特許文献４参照）。
【先行技術文献】
【特許文献】
【０００４】
【特許文献１】特開２００８−２８９６０２号公報
【特許文献２】特開２００８−３０７２９８号公報
【特許文献３】特開２００８−２９７１４号公報
【特許文献４】特許第４３９２８５７号明細書
【発明の概要】
【発明が解決しようとする課題】
【０００５】
上記特許文献では、立体ギャザー自体の位置を視認できるという効果は奏する。しかし、立体ギャザーがその固定端から十分に起立した状態で使用しているか否かを視認できるものではなかった。
【０００６】
立体ギャザーを、その固定端から十分に起立させないで使用した場合、フィット性を向上させ、尿の横漏れを防止するという立体ギャザーの効果を十分発揮させることができないという問題がある。
【０００７】
本発明は、このような従来技術の有する問題点に鑑みてなされたものである。本発明の課題とするところは、装着時に立体ギャザーがその固定端から十分に起立しているか否かを視認することができる吸収性物品を提供することにある。
【課題を解決するための手段】
【０００８】
本発明者らは上記課題を解決すべく鋭意検討した結果、撥水性シートとトップシートの接着部のうち、立体ギャザーの起立線となる固定端を構成する接着部の少なくとも一部を、着色された接着剤により形成された着色接着部とすることによって、上記課題を解決することが可能であることを見出し、本発明を完成するに至った。
【０００９】
即ち、本発明によれば、以下に示す吸収性物品が提供される。
【００１０】
［１］吸収体と、少なくとも一部が液透過性材料からなり、前記吸収体の表面を被覆するように配置されたトップシートと、液不透過性材料からなり、前記吸収体の裏面を被覆するように配置されたバックシートと、撥水性シートからなり、前記吸収体の両側に配置された少なくとも一対の立体ギャザーと、を備え、前記撥水性シートと前記トップシートとを接着する接着部を有し、前記立体ギャザーの起立線となる固定端を構成する前記接着部が、吸収性物品の前後方向全般に亘って、着色された接着剤により連続的に形成された着色接着部（但し、前記撥水性シートの前記着色接着部が配置された箇所に複数の凹部が設けられ、該凹部が凹部以外の部分とは異なる色に見えるものを除く）であり、前記着色接着部により、前記立体ギャザーの起立線となる前記固定端が視認可能に構成されている吸収性物品。
【００１１】
［２］前記着色接着部が、視認可能な色に着色された接着剤により形成され、前記視認可能な色が、前記トップシート及び前記撥水性シートの色と異なる色である前記［１］に記載の吸収性物品。
【００１２】
［３］前記着色接着部が、少なくとも前記トップシートの前記吸収体の表面を被覆している領域に形成されている前記［１］又は［２］に記載の吸収性物品。
【発明の効果】
【００１４】
本発明の吸収性物品は、装着時に立体ギャザーの固定端を視認することができ、立体ギャザーを十分に起立させて使用していることを確認することができる。そのため、本発明の吸収性物品は、フィット性を向上し、尿の横漏れを防止するという立体ギャザーの効果を十分に発揮することができるという効果を奏するものである。
【図面の簡単な説明】
【００１５】
【図１Ａ】本発明の吸収性物品の一実施形態を模式的に示す斜視図である。
【図１Ｂ】図１Ａに示す吸収性物品を展開し、トップシート方向から見た状態を模式的に示す概略平面図である。
【図１Ｃ】図１Ｂに示す吸収性物品のＡ−Ａ’切断端面を模式的に示す概略端面図である。
【図２Ａ】本発明の吸収性物品の他の実施形態を示す概略平面図であり、吸収性物品を展開し、トップシート側から見た状態を模式的に示す概略平面図である。
【図２Ｂ】図２Ａに示す吸収性物品のＢ−Ｂ’切断端面を模式的に示す概略端面図である。
【図３Ａ】吸収性物品の更に他の実施形態を示す概略平面図であり、吸収性物品を展開し、トップシート側から見た状態を模式的に示す概略平面図である。
【図３Ｂ】図３Ａに示す吸収性物品のＣ−Ｃ’切断端面を模式的に示す概略端面図である。
【図４Ａ】吸収性物品の更に他の実施形態を示す概略平面図であり、吸収性物品を展開し、トップシート側から見た状態を模式的に示す概略平面図である。
【図４Ｂ】図４Ａに示す吸収性物品のＤ−Ｄ’切断端面を模式的に示す概略端面図である。
【図５Ａ】吸収性物品の更に他の実施形態を示す概略平面図であり、吸収性物品を展開し、トップシート側から見た状態を模式的に示す概略平面図である。
【図５Ｂ】図５Ａに示す吸収性物品のＥ−Ｅ’切断端面を模式的に示す概略端面図である。
【図６】本発明の吸収性物品に係る接着部の形態の概略を模式的に示す図である。
【図７】吸収性物品に係る着色接着部の形態の概略を模式的に示す図である。
【図８】吸収性物品に係る着色接着部の形態の概略を模式的に示す図である。
【発明を実施するための形態】
【００１６】
以下、本発明の吸収性物品を実施するための形態として、使い捨ておむつの例により具体的に説明する。但し、本発明の吸収性物品は、その発明特定事項を備えるもの（例えば、尿パッド等）を広く包含するものであり、以下の実施の形態に限定されるものではない。
【００１７】
［１］定義等：
「使い捨ておむつ」とは、前身頃、股下部及び後身頃の各部からなり、吸収体と、少なくとも一部が液透過性材料からなり、前記吸収体の表面を被覆するように配置されたトップシートと、液不透過性材料からなり、前記吸収体の裏面を被覆するように配置されたバックシートと、を備え、着用者の腰周りを被包するように装着される吸収性物品を意味する。
【００１８】
「パンツ型使い捨ておむつ」とは、前記使い捨ておむつのうち、図１Ａ〜図１Ｃに示す使い捨ておむつ１Ａのように、一つのウエスト周り開口部１０及び左右一対の脚周り開口部１２（１２ａ、１２ｂ）が形成されたパンツ型を呈する外装体１６と、外装体１６の内部に配置され、吸収体が内包された吸収パッドである吸収性本体１４とを備えたものを意味する。
【００１９】
「テープ型使い捨ておむつ」とは、前記使い捨ておむつのうち、図２Ａ〜図２Ｂ、図３Ａ〜図３Ｂ、図４Ａ〜図４Ｂ、及び図５Ａ〜図５Ｂに示すように、前身頃２と後身頃６とを止め付ける止着テープ１１を備えたものを意味する。なお、図２Ａ〜２Ｂ、図３Ａ〜３Ｂ、及び図４Ａ〜図４Ｂの形態は主に子供用に適した形態であり、図５Ａ〜図５Ｂの形態は主に大人用に適した形態である。
【００２０】
「吸収性物品の前後方向」とは、例えば図１Ｂ、図２Ａ、図３Ａ、図４Ａ、図５Ａに示すように吸収性物品１を展開し、トップシート方向から見た状態を模式的に示す概略平面図において、前身頃２〜後身頃６に向う方向Ｘを意味する。
【００２１】
「接着剤」は、図６（ａ）〜図６（ｄ）に示すような様々な塗工形態で形成することができる。即ち、塗工形態としては、線状の形態（図６（ａ）参照）に加えて、スパイラル状に塗工する形態（図６（ｂ）参照）、幅方向に複数本の線状を形成する形態（図６（ｃ）参照）、面状に塗工する形態（図６（ｄ）参照）等がある。また、コーター等ではなく、スプレーで塗工する形態でもよい。なお、接着剤を全面にベタ塗り（図６（ａ）、図６（ｄ）参照）又は全面にスプレーする形態のみならず、スパイラル状に塗工する形態（図６（ｂ）参照）も、接着剤を吸収性物品の前後方向に塗工している間に塗工ヘッドが被塗工体となるトップシート材等から離間されない限り、「連続的な」接着部の形成に利用することができる。
【００２２】
これらの形態は、例えば、スリットコーター（シムコーター）、カーテンスプレー、スパイラルスプレー、オメガコート、コームガン、シュアラップ、サミット、シグネチャー等の接着方法により形成することができる。より具体的な例として、オメガコートは、オメガノズルヘッド（ＩＴＷダイナテック社製）を用いることにより、シュアラップは、シュアラップノズル（ノードソン社製）を用いることにより実施することができる。
【００２３】
図７及び図８は、図１Ａ〜図１Ｃに示す本発明の吸収性物品の一実施形態であるパンツ型使い捨ておむつ１Ａにおいて、吸収性本体１４の形態を模式的に示す図である。なお、この図のような態様は、本発明の吸収性物品の一実施形態である尿パッドに適用することができる。
【００２４】
本明細書中、「間欠的に」とは、２つの形態を意味する。即ち、（１）図８（ａ）に例示するように、着色接着部５０と着色接着部５０の間に着色されていない通常の接着剤による接着部５１が形成されている形態、及び（２）図８（ｂ）や図８（ｃ）に例示するように、着色接着部５０と着色接着部５０の間に非接着部５２を有する形態、を意味する。より具体的には、上記（１）の場合、着色接着部５０と着色接着部５０の間に着色されていない通常の接着剤による接着部５１が少なくとも１ｃｍ以上形成されている形態を意味する。また、上記（２）の場合、吸収性物品の前後方向において、着色接着部５０と着色接着部５０の間に、１ｃｍ以上の非接着部５２を有する形態を意味する。
【００２５】
なお、図８（ａ）には、通常の接着剤による接着部５１は１箇所しか形成されていない。しかしながら、図８（ｄ）に示すように、通常の接着剤による接着部５１が複数箇所形成されていても良い。また、図８（ｅ）に示すように、着色接着部５０と通常の接着剤による接着部５１に非接着部５２を有していても良い。
【００２６】
本明細書中、「連続的に」とは、２つの形態を意味する。即ち、（１）図７に例示すように、着色接着部５０と着色接着部５０の間に着色されていない通常の接着剤による接着部が存在しない形態、及び（２）図示はしないが、着色接着部と着色接着部の間に非接着部を有しない形態、を意味する。
【００２７】
なお、図７（ａ）においては、着色接着部５０はトップシート１８の一方の端縁から他方の端縁まで前後方向全般に亘って形成されている。しかしながら、少なくとも立体ギャザー２６が起立する領域に着色接着部５０が形成されていればよく、図７（ｂ）や図７（ｃ）に示すように、その前後方向の両端縁付近は着色されていない通常の接着剤による接着部５１である形態も「連続的に」という形態に含まれる。
【００２８】
［２］本発明の吸収性物品の構成：
吸収性物品は、図１Ａ〜図１Ｃ、図２Ａ〜図２Ｂ、図３Ａ〜図３Ｂ、図４Ａ〜図４Ｂ、及び図５Ａ〜５Ｂに示すような、１）吸収体２２と、少なくとも一部が液透過性材料からなり、吸収体２２の表面を被覆するように配置されたトップシート１８と、液不透過性材料からなり、吸収体２２の裏面を被覆するように配置されたバックシート２０と、撥水性シートからなり、吸収体２２の両側に配置された少なくとも一対の立体ギャザー２６と、を備えること、２）撥水性シートとトップシート１８とを接着する接着部を有すること、３）立体ギャザー２６の起立線となる固定端を構成する接着部の少なくとも一部が、着色された接着剤により形成された着色接着部５０であること、を発明特定事項とする。
【００２９】
立体ギャザーの起立線となる固定端を構成する接着部の少なくとも一部が、着色された接着剤により形成された着色接着部であることで、装着時に立体ギャザーの固定端を視認することができ、立体ギャザーの起立線となる固定端から十分に起立させて使用しているか否かを確認することができる。そのため、フィット性を向上し、尿の横漏れを防止するという立体ギャザーの効果を十分に発揮させる態様で吸収性物品を使用することができる。
【００３０】
また、図３Ｂや図５Ｂに示すような切断端面構造を有する吸収性物品１では、製造工程時に接着不良が生じた場合、ＳＡＰ等が接着不良の部分を通ってトップシート１８表面にこぼれ出るという問題が発生する。トップシート１８表面にＳＡＰ等がこぼれ出た吸収性物品１は、着用者の肌触り感が損なわれるおそれがある。しかしながら、本願の吸収性物品においては、立体ギャザーの固定端を構成する接着部の少なくとも一部が着色された接着剤により形成された着色接着部５０なので、製造工程に接着不良があるか否かを視認することができる。そのため、ＳＡＰ等がトップシート１８表面にこぼれ出た製品をいち早く発見し、その数を減らすという効果も期待できる。
【００３１】
なお、図５Ｂに示すような切断端面構造を有する吸収性物品１では、上ティッシュ５４と下ティッシュ５６の隙間からＳＡＰがこぼれ出るために上記の問題が生じる。一方、図３Ｂに示すような切断端面構造を有する吸収性物品１は、フラッフパルプ及びＳＡＰはティッシュ等の親水性シート２８で完全に包まれているので、ＳＡＰがこぼれ出る隙間はない。しかしながら、ＳＡＰはフラッフパルプの全面に均一に担持させているので、親水性シートで包み込む際に親水性シートの表面にはみ出す場合がある。そのため、ＳＡＰが接着不良の部分を通ってトップシート１８表面にこぼれ出るという問題が発生する場合がある。
【００３２】
［２−１］着色接着部の態様：
図１Ｂ及び図２Ａに示すように、着色接着部５０はトップシート１８の吸収性物品の前後方向Ｘに対して連続的に形成していてもよい。連続的に形成することで、装着時に、吸収性物品の前後方向Ｘ全般に亘って立体ギャザー２６の固定端を視認することができ、立体ギャザー２６の起立線となる固定端から十分に起立させて使用しているか否かを確認することができる。そのため、フィット性を向上し、尿の横漏れを防止するという立体ギャザー２６の効果を最も発揮させることが期待できる。
【００３３】
また、参考例として、図３Ａ、図４Ａ、及び図５Ａに示すように、着色接着部５０はトップシート１８の吸収性物品の前後方向Ｘに対して間欠的に形成していてもよい。間欠的に形成することで、装着時に、吸収性物品の前後方向の一部で立体ギャザー２６の固定端を視認できなく、立体ギャザー２６の起立線となる固定端から十分に起立させて使用しているか否かを確認することができないという問題はある。しかしながら、着色接着部５０を形成するために使用する着色された接着剤の使用量を低減することができるので、コストの観点から好ましい。
【００３４】
図３Ｂ及び図５Ｂに示すような切断端面構造を有する吸収性物品１で、着色接着部５０をトップシート１８の吸収性物品の前後方向に対して間欠的に形成する場合、着色接着部５０は、少なくともトップシート１８の吸収体２２の表面を被覆している領域に形成することが好ましい。これは、着色接着部５０が、製造工程時に接着不良が生じた場合、ＳＡＰが接着不良の部分を通ってトップシート１８表面にこぼれ出る事がもっとも生じ易いトップシート１８の吸収体２２の表面を被覆している領域に形成されているからである。また、このように着色接着部を間欠的に形成すると、吸収性物品の前後方向Ｘで着用者等の位置合わせをする際にも有用である。
【００３５】
吸収性物品において、撥水性シートとトップシートは、立体ギャザーの起立線となる固定端を構成する接着部以外にも、通常、撥水性シートの前後方向の端縁近傍に、起立線となる固定端よりも内側で接着部を有している。この接着部は、図１Ｂ、図２Ａ、図３Ａ、図４Ａ、図５Ａに示すように、着色された接着剤により形成された着色接着部５０であってもよく、図示はしないが、通常の接着剤により形成された接着部であってもよい。
【００３６】
［２−２］着色接着部の構成：
着色接着部は、着色された接着剤により形成されている。着色された接着剤としては、通常の使い捨ておむつ等で使用する接着剤に着色剤を配合することで調製することができる。なお、着色する色は、赤色、黄色、緑色、青色等の視認可能な色で、トップシート及び撥水性シートの色と異なる色であればよい。
【００３７】
着色接着部を形成するための接着剤としては、スチレン系、オレフィン系等の各種ホットメルト型接着剤、アクリル系接着剤や合成ゴム系接着剤を使用することができる。中でも、スチレン系、オレフィン系等の各種ホットメルト型接着剤が好ましい。また、着色剤としては特に限定されるものではない。ホットメルト型接着剤等の既知のシート製品に用いられる接着剤に顔料や染料等の着色剤を混合して着色したものを用いることができる。中でも、顔料が好ましい。
【００３８】
［３］吸収性物品の構成部材：
吸収性物品は、図１Ａ〜図１Ｃ、図２Ａ〜図２Ｂ、図３Ａ〜図３Ｂ、図４Ａ〜図４Ｂ、図５Ａ〜図５Ｂに示す吸収性物品１のように、少なくとも吸収体２２、トップシート１８、バックシート２０、及び立体ギャザー２６を構成部材として備える。
【００３９】
［３−１］吸収体：
「吸収体」は、着用者の尿等を吸収し保持するための部材であり、吸収性材料によって構成される。前記吸収性材料としては、例えばフラッフパルプ、高吸水性ポリマー（Ｓｕｐｅｒ  Ａｂｓｏｒｂｅｎｔ  Ｐｏｌｙｍｅｒ；以下、「ＳＡＰ」と記す。）、親水性シート等を挙げることができる。前記フラッフパルプとしては木材パルプや非木材パルプを綿状に解繊したものを、前記ＳＡＰとしてはポリアクリル酸ナトリウムを、前記親水性シートとしてはティシュ、吸収紙、親水化処理を行った不織布等を用いることが好ましい。
【００４０】
「吸収体」としては、１種又は２種以上の吸収性材料を単層又は複層のマット状に成形したものを用いることが好ましい。中でも、フラッフパルプ１００質量部に対して、１０〜５００質量部のＳＡＰを併用したものが好ましい。この際、ＳＡＰはフラッフパルプのマット中に混在させてもよいし、複数のマットの層間に層状に配置して用いてもよい。なお、ＳＡＰの脱落を防止し、形状安定性を付与するために、吸収体全体を親水性シートによって被包しておくことが好ましい。図１Ｃに示す吸収性物品１は親水性シートである上ティシュ５４及び下ティシュ５６によって吸収体２２全体を被包した例である。
【００４１】
「吸収体」は、目的に応じて矩形状、砂時計型等の所望の形状に成形されたものを用いればよい。図１Ｂに示す吸収性物品１は、矩形状の吸収体２２を用いた例である。また、図２Ａ、図３Ａ、図４Ａ、及び図５Ａに示す吸収性物品１は、砂時計型の吸収体２２を用いた例である。なお、「吸収体」はその表面側をトップシートによって被覆されるとともに、その裏面側をバックシートによって被覆されている。即ち、トップシートとバックシートの層間に配置されている。
【００４２】
［３−２］トップシート：
「トップシート」は、吸収体の表面（吸収性物品の装着時に着用者の肌と対向する側の面）を被覆するように配置されるシート状部材である。着用者の尿等を透過させる必要から、その少なくとも一部（全部又は一部）が液透過性材料により構成される。
【００４３】
前記液透過性材料としては、織布、不織布、多孔性フィルム等を挙げることができる。中でも、ポリプロピレン、ポリエチレン、ポリエステル、脂肪族ポリアミド等の熱可塑性樹脂からなる不織布に親水化処理を施したものを用いることが好ましい。
【００４４】
前記不織布としては、エアースルー（カード熱風）、カードエンボス等の製法によって製造された不織布を好適に用いることができる。前記親水化処理は、不織布の原綿に対して界面活性剤を塗布、スプレー、含浸等させることにより行うことができる。
【００４５】
トップシートは「少なくとも一部」が液透過性材料によって構成されている。その位置については特に限定されない。但し、平面視した場合に股下部における吸収体の配置位置と重畳する部分が液透過性材料により構成されていることが好ましい。
【００４６】
なお、本発明の吸収性物品は、着用者の肌と対向する側の面全てがトップシートによってカバーされている必要はない。例えば、テープ型使い捨ておむつにおいては、おむつの幅方向中央部に液透過性材料からなるトップシートを配置し、おむつの幅方向側縁部（サイドフラップ部分）には通気撥水性材料からなるサイドシートを配置する形態がよく用いられる。この際、前記通気撥水性材料としてはカードエンボス、スパンボンド等の製法により得られた不織布シート、特に防水性が高いＳＭＳ、ＳＭＭＳ等の不織布シートを用いることが好ましい。
【００４７】
［３−３］バックシート：
バックシートは、吸収体の裏面（吸収性物品の装着時に着用者の肌と背向する側の面）を被覆するように配置されるシート状部材である。バックシートは、着用者の尿がおむつ外部に漏洩してしまうことを防止する必要から、液不透過性材料によって構成される。
【００４８】
バックシートの配置位置については特に制限はない。吸収体に吸収された尿の漏れを防止するという観点から、少なくとも吸収体の配置位置をカバーするようにバックシートが配置されていることが好ましい。
【００４９】
前記液不透過性材料としては、例えば、ポリエチレン等の樹脂からなる液不透過性フィルム等を挙げることができる。中でも、微多孔性ポリエチレンフィルムを用いることが好ましい。この微多孔性ポリエチレンフィルムは０．１〜数μｍの微細な孔が多数形成されたフィルムであり、液不透過性ではあるが透湿性を有する。従って、防漏性を確保しつつおむつ内部の蒸れを防止することができる。
【００５０】
テープ型使い捨ておむつにおいては、バックシートの外表面側にカバーシートを貼り合わせる形態がよく用いられる。このカバーシートは、バックシートを補強し、バックシートの手触り（触感）を良好なものとするために用いられる。
【００５１】
カバーシートを構成する材料としては、例えば、織布、不織布等を挙げることができる。中でも、ポリエチレン、ポリプロピレン、ポリエステル等の熱可塑性樹脂からなる乾式不織布、湿式不織布を用いることが好ましい。
【００５２】
［３−４］立体ギャザー：
本発明の吸収性物品は、図１Ｂ及び図１Ｃに示す吸収性物品１のように、撥水性シート３２からなり、吸収体２２の両側に配置された左右一対の立体ギャザー２６（２６ａ，２６ｂ）を備えている。
【００５３】
立体ギャザーは、従来の使い捨ておむつに準じて構成することができる。図１Ｃに示すように撥水性シート３２の層間に伸張状態の立体ギャザー伸縮材３６を挟み込んで固定したものを挙げることができる。この際、撥水性シートとしては、サイドシートと同様の材料を好適に用いることができる。
【００５４】
パンツ型使い捨ておむつの場合、図１Ｃに示すように吸収性本体１４に対して立体ギャザー形成用の撥水性シート３２を別途付設し、吸収性本体１４と一体的に立体ギャザー２６を構成する形態が多く用いられる。一方、テープ型使い捨ておむつの場合、図２Ｂ、図３Ｂ、図４Ｂ、図５Ｂに示すようにおむつを構成するシート材（例えば撥水性不織布からなるサイドシート１９等）の一部によって立体ギャザー２６を構成する形態が多く用いられる。
【００５５】
なお、図１Ｂ及び図１Ｃに示すように、吸収性物品１には立体ギャザー伸縮材３６に加えて立体ギャザー２６の両側縁に側縁伸縮材３８を配置している。このように側縁伸縮材を配置すると、着用中のおむつにおいて、後に記載する吸収性本体の両側縁が吸収体よりも立ち上がった形態になり易い。このような形態は、排尿後に尿が吸収性本体の幅方向中央部（即ち吸収体）に集まり易くなり、尿漏れを発生し難くすることができる。
【００５６】
［３−５］各種伸縮材：
本発明の吸収性物品は、ウエスト周り伸縮材、脚周り伸縮材、腹周り伸縮材等の伸縮材を配置することが好ましい。
【００５７】
ウエスト周り伸縮材は、ウエスト周り開口部に沿って配置される伸縮材である。ウエスト周り伸縮材を配置することによって、ウエスト開口部に伸縮性に富むギャザー（ウエストギャザー）を形成することができる。このウエストギャザーにより、ウエスト周りに隙間が形成され難くなり、ウエスト周りからの尿漏れを防止することができる他、着用者へのおむつのフィット性が良好となり、おむつのずり下がりが防止される。
【００５８】
脚周り伸縮材は、脚周りギャザーを形成するための伸縮材である。パンツ型使い捨ておむつの場合、図１Ａ及び図１Ｂに示すように脚周り開口部１２の外縁に沿って線状の脚周り伸縮材４０を複数本、曲線的に配置する形態がよく用いられる。この形態においては、脚周り伸縮材４０が股下部４の中央を横断しないように配置することが好ましい。股下部４の中央に脚周り伸縮材４０の収縮力を作用させないことで吸収体２２のヨレを防止し、股下部４における吸収体２２のフィット性を向上させることができる。一方、テープ型使い捨ておむつの場合、少なくとも股下部に左右複数対の線状伸縮材を平行する直線状に配置する形態がよく用いられる。
【００５９】
腹周り伸縮材は、パンツ型使い捨ておむつにおいてタミーギャザーを形成するための伸縮材である。図１Ａ及び図１Ｂに示すように着用者の腹周りに相当する部分に線状の腹周り伸縮材４４を複数本、直線的に配置する形態がよく用いられる。この形態においても脚周り伸縮材の場合と同様の理由から、腹周り伸縮材４４が吸収体２２の配置部位を横断しないように配置することが好ましい。
【００６０】
伸縮材としては、天然ゴムからなる平ゴムや合成ゴム（ウレタンゴム等）の弾性糸からなる糸ゴムの他、伸縮性ネット、伸縮性フィルム、伸縮性フォーム（ウレタンフォーム等）等を好適に用いることができる。
【００６１】
伸縮材は、着用者に対して過度の締め付け力を作用させることなく、十分な伸縮力を作用させるため、１２０〜４００％の伸長状態で固定することが好ましく、２００〜３００％の伸長状態で固定することが好ましい。伸縮材は、例えば、ホットメルト接着剤、その他の流動性の高い接着剤を用いた接着、ヒートシールをはじめとする熱や超音波等による溶着によって固定することができる。
【００６２】
パンツ型使い捨ておむつの場合、脚周り伸縮材４０、ウエスト周り伸縮材４２、腹周り伸縮材４４とも、例えば外装体１６のインナーシート１６ａとアウターシート１６ｂの層間に、伸張状態の線状伸縮材を挟み込むように固定する等の方法で配置することができる。図１Ａ及び図１Ｂに示す例では、脚周り伸縮材４０、ウエスト周り伸縮材４２及び腹周り伸縮材４４を外装体１６のインナーシート１６ａとアウターシート１６ｂの層間に、伸張状態の線状伸縮材を挟み込むように固定する方法で配置している。
【００６３】
一方、テープ型使い捨ておむつの場合、脚周り伸縮材４０は、例えばサイドシートとカバーシートの層間に、伸張状態の線状伸縮材を挟み込むように固定する等の方法で、ウエスト周り伸縮材４２は、例えばトップシートとカバーシートの層間に、伸張状態の面状伸縮材（伸縮性フォーム等）を挟み込むように固定する等の方法で配置することができる。
【００６４】
［３−６］吸収性本体：
パンツ型使い捨ておむつの場合、図１Ｃに示すように吸収体２２が内包された吸収パッド（以下、この部材を「吸収性本体」と称する。）を用いる場合がある。図１Ｃに示す吸収性物品１には吸収体２２の周縁部においてトップシート１８とバックシート２０が貼り合わされることによって、トップシート１８とバックシート２０の層間に吸収体２２が内包され、これらの部材が一体的に形成された形態の吸収性本体１４が用いられている。この吸収性本体１４は吸収体２２、トップシート１８及びバックシート２０の他、前述した立体ギャザー２６も一体的に構成された吸収性本体の例である。
【００６５】
［３−７］外装体：
パンツ型使い捨ておむつの場合、図１Ａに示すように一つのウエスト周り開口部１０及び一対の脚周り開口部１２ａ，１２ｂが形成されたパンツ型を呈する部材（以下、この部材を「外装体」と称する。）を用いる場合がある。図１Ａ〜図１Ｂに示すように、外装体１６はおむつの前身頃２、股下部４及び後身頃６の各部を形成している。
【００６６】
図１Ａに示すように、外装体１６は前身頃２の側縁２ａ，２ｂ近傍の部分（側縁部）とこれに対応する後身頃６の側縁６ａ，６ｂ近傍の部分（側縁部）が予め接合されることによって（接合部８）、一つのウエスト周り開口部１０及び一対の脚周り開口部１２ａ，１２ｂが形成され、パンツ型を呈するように構成されたものが一般的である。
【００６７】
但し、外装体は前記の構成に限定されるものではない。例えば、前身頃と後身頃の対応する側縁部に、係合可能なファスナー部材が付設され、そのファスナー部材同士を相互に係合させることによってパンツ型に構成可能なもの、又は前身頃と後身頃の対応する側縁部同士が着脱可能なファスナー部材によって予め係合されてパンツ型を呈するように構成されたもの等も本明細書にいう「外装体」に含まれるものとする。前記ファスナー部材としては、例えば、メカニカルファスナー等を挙げることができる。
【００６８】
外装体の材質は特に限定されないが、おむつ内部の蒸れを防止するべく通気性に優れた素材、例えば、ポリエチレン、ポリプロピレン、ポリエステル、その他の合成繊維からなる不織布等により構成することが好ましい。
【００６９】
外装体は２枚以上の不織布を貼り合わせて構成されることが多い。例えば、図１Ａ〜図１Ｃに示す吸収性物品１は外装体１６を２枚の不織布（インナーシート１６ａ、アウターシート１６ｂ）から構成した例である。但し、後述する押さえシートのような他のシート材を併用して３枚以上の不織布により構成してもよい。
【００７０】
なお、パンツ型使い捨ておむつは、不織布シートからなり、吸収性本体の前端又は後端を被覆する押さえシートを更に備えていることが好ましい。押さえシートを備えることによって、吸収性本体の前端又は後端が封着され、トップシート１８とバックシート２０との貼り合わせ部分が補強される。従って、吸収体２２内部のＳＡＰが漏れ出し難くなる。
【００７１】
前記押さえシートは、おむつの他の部材（例えば外装体等）を構成する不織布シートの一部を利用して構成してもよいし、他の部材からは独立した不織布シートを別途付設してもよい。
【００７２】
図１Ｂに示す形態は他の部材を構成する不織布シートの一部を利用した例である。具体的にはアウターシート１６ｂの折り返し部を押さえシートとして利用し、折り返し部により吸収性本体１４の前端又は後端を被覆している。しかしながら、他の部材からは独立した不織布シートを別途付設してもよい。具体的には他の部材からは独立した押さえシートにより吸収性本体１４の前端又は後端を被覆してもよい。
【００７３】
［３−８］止着テープ：
テープ型使い捨ておむつの場合、後身頃の左右の各側縁から延出するように配置された、前身頃と後身頃とを固定するための止着テープを備えたものが好適に用いられる。
【００７４】
止着テープのファスニング部材は特に限定されない。但し、止着力が高く、複数回の脱着を行っても止着力が低下し難いメカニカルファスナー（面状ファスナー）を用いることが好ましい。例えば、止着テープの先端近傍にメカニカルファスナーのフック材を付設する一方、前身頃にメカニカルファスナーのループ材からなるフロントパッチを付設する形態が多く用いられる。
【００７５】
止着テープの数は特に限定されず、着用者の体型（具体的には、ウエスト周り、脚周り等）の寸法に合わせて、適当な数の止着テープを付設すればよい。一般的には、乳幼児用の使い捨ておむつであれば一対（左右１個ずつ）、成人用の使い捨ておむつであれば二対（左右２個ずつ）が付設される。
【産業上の利用可能性】
【００７６】
本発明の吸収性物品は、乳幼児用、或いは介護を必要とする高齢者や障害者等の成人用のおむつとして好適に利用することができる。
【符号の説明】
【００７７】
１：吸収性物品、１Ａ：パンツ型使い捨ておむつ、１Ｂ：テープ型使い捨ておむつ、２：前身頃、２ａ，２ｂ：側縁、４：股下部、６：後身頃、６ａ，６ｂ：側縁、８：接合部、１０：ウエスト周り開口部、１１：止着テープ、１２，１２ａ，１２ｂ：脚周り開口部、１３：フロントパッチ、１４：吸収性本体、１６：外装体、１６ａ：インナーシート、１６ｂ：アウターシート、１８：トップシート、１９：サイドシート、２０：バックシート、２２：吸収体、２４：カバーシート、２６，２６ａ，２６ｂ：立体ギャザー、２８：親水性シート、３２：撥水性シート、３６：立体ギャザー伸縮材、３８：側縁伸縮材、４０：脚周り伸縮材、４２：ウエスト周り伸縮材、４４：腹周り伸縮材、４６：メカニカルファスナー、４６ａ：フック材、４６ｂ：ループ材、５０：着色接着部、５１：接着部、５２：非接着部、５４：上ティッシュ、５６：下ティッシュ、Ｘ：前後方向
【図１Ａ】
0005712622.tif 000002
【図１Ｂ】
0005712622.tif 000003
【図１Ｃ】
0005712622.tif 000004
【図２Ａ】
0005712622.tif 000005
【図２Ｂ】
0005712622.tif 000006
【図３Ａ】
0005712622.tif 000007
【図３Ｂ】
0005712622.tif 000008
【図４Ａ】
0005712622.tif 000009
【図４Ｂ】
0005712622.tif 000010
【図５Ａ】
0005712622.tif 000011
【図５Ｂ】
0005712622.tif 000012
【図６】
0005712622.tif 000013
【図７】
0005712622.tif 000014
【図８】
0005712622.tif 000015